(57)【要約】【課題】本発明はスリットガラスの破損を安価な構成で防止することができる画像形成装置の提供を目的とする。【解決手段】原稿Ｇを搬送するための開閉可能な自動原稿送り装置２と、該自動原稿送り装置２が搬送する原稿Ｇを読み取るためのスリットガラス２ｃを有する原稿読取装置２ａと、を有する画像形成装置１において、前記スリットガラス２ｃに弾性体２９を取り付けたことを特徴としている。【選択図】図１
2005035713.tif 000002
【特許請求の範囲】
【請求項１】
原稿を搬送するための開閉可能な自動原稿送り装置と、
該自動原稿送り装置が搬送する原稿を読み取るためのスリットガラスを有する原稿読取装置と、を有する画像形成装置において、
前記スリットガラスに弾性体を取り付けたことを特徴とする画像形成装置。
【請求項２】
前記自動原稿送り装置は、前記スリットガラスに当接する凸部を有し、前記弾性体はスリットガラス上の、前記凸部が当接する位置に取り付けられていることを特徴とする請求項１記載の画像形成装置。
【請求項３】
原稿を搬送するための開閉可能な自動原稿送り装置と、
該自動自動原稿送り装置が搬送する原稿を読み取るためのスリットガラスを有する原稿読取装置と、を有する画像形成装置において、
前記自動原稿送り装置のうち、前記スリットガラスと接触する部分に弾性体を取り付けたことを特徴とする画像形成装置。
【請求項４】
前記自動原稿送り装置は、前記スリットガラスに当接する凸部を有し、前記弾性体は前記凸部に取り付けられていることを特徴とする請求項３記載の画像形成装置。
【請求項５】
前記弾性体は、ポリエチレンテレフタレートであることを特徴とする請求項１から４のいずれかに記載の画像形成装置。
【発明の詳細な説明】
【０００１】
【発明の属する技術分野】
本発明は、自動原稿送り装置を閉じるときのスリットガラスの破損防止に関する。
【０００２】
【従来の技術】
ディジタル複写機等の画像形成装置には、原稿を画像データとして画像形成装置内に読み込む原稿読取装置を有している。原稿読取装置には、上面に透明なプラテンガラスが取り付けられており、その上に原稿を載置することで、原稿の読み込みを行う。
【０００３】
原稿が複数枚ある場合には、一枚ずつプラテンガラスに原稿を載置するのは面倒であるため、自動原稿送り装置を使用することによって原稿を自動的に読み取ることができる。自動原稿送り装置を使用する場合、原稿は主操作方向に細長い形状をしたスリットガラスの上を通過することで画像データとして読み取られる。
【０００４】
また、自動原稿送り装置と画像形成装置本体とは、ヒンジによって結合されており、操作者の操作によって開閉が可能である。これによって、プラテンガラスに原稿を載置して画像を形成する場合には、一旦自動原稿送り装置を開くことで、プラテンガラスに原稿を載置することができる。
【０００５】
自動原稿送り装置とスリットガラスとの間には、原稿が１枚通過するだけの隙間がある。この隙間は狭すぎると搬送ローラを駆動する駆動モータへの負荷が増大してしまい、逆に広すぎると原稿を正常に読み取れないことがある等の不具合が発生する。そのため、自動原稿送り装置には、スリットガラスとの隙間を一定間隔に保つための樹脂製の凸部が設けられている。
【０００６】
この凸部は、スリットガラスに当接するようになっているため、自動原稿送り装置を閉じると衝撃が凸部に集中し、凸部からスリットガラスに伝わる。自動原稿送り装置を勢いよく閉じた場合等、スリットガラスに伝わる衝撃が大きくなると、スリットガラスが破損してしまう。
【０００７】
そのため、自動原稿送り装置と画像形成装置本体とを繋ぐヒンジの性能を向上させ、自動原稿送り装置をゆっくりと閉じることができようにしたものが提案されている（例えば特許文献１参照）。
【０００８】
【特許文献１】
特開平１１−１７４５９７号公報  （図１）
【０００９】
【発明が解決しようとする課題】
しかし、特許文献１のようなヒンジの構造は複雑であり、その分画像形成装置の価格が上昇してしまう。
【００１０】
そこで、本発明はスリットガラスの破損を安価な構成で防止することができる画像形成装置の提供を目的とする。
【００１１】
【課題を解決するための手段】
上記目的を達成するために請求項１に係る画像形成装置は、原稿を搬送するための開閉可能な自動原稿送り装置と、該自動自動原稿送り装置が搬送する原稿を読み取るためのスリットガラスを有する原稿読取装置と、を有する画像形成装置において、前記スリットガラスに弾性体を取り付けたことを特徴としている。
【００１２】
請求項２に係る画像形成装置は、前記自動原稿送り装置は、前記スリットガラスに当接する凸部を有し、前記弾性体はスリットガラス上の、前記凸部が当接する位置に取り付けられていることを特徴としている。
【００１３】
請求項３に係る画像形成装置は、原稿を搬送するための開閉可能な自動原稿送り装置と、該自動原稿送り装置が搬送する原稿を読み取るためのスリットガラスを有する原稿読取装置と、を有する画像形成装置において、前記自動原稿送り装置のうち、前記スリットガラスと接触する部分に弾性体を取り付けたことを特徴としている。
【００１４】
請求項４に係る画像形成装置は、前記自動原稿送り装置は、前記スリットガラスに当接する凸部を有し、前記弾性体は前記凸部に取り付けられていることを特徴としている。
【００１５】
請求項５に係る画像形成装置は、前記弾性体は、ポリエチレンテレフタレートであることを特徴としている。
【００１６】
【発明の実施の形態】
次に本発明の画像形成装置を、図面を基に説明する。図１は、本発明の画像形成装置の構成図である。画像形成装置１は、自動原稿送り装置２、原稿読取装置２ａ、画像形成部３及び給紙カセット４等を有する。画像形成部３はさらに、感光体ドラム５、帯電装置６、像露光装置７、現像装置８、転写装置９、クリーニング装置１０及び定着装置１１等によって構成されている。
【００１７】
このような画像形成装置１による画像形成の流れを次に示す。まず、原稿読取装置２ａは、原稿Ｇを画像データとして読み込む。次に帯電装置６が感光体ドラム５を一様に帯電させ、像露光装置７が画像データを感光体ドラム５に静電潜像として形成する。静電潜像は、現像装置８によってトナーを吸着されトナー画像となる。さらに、転写装置９が給紙カセット４から搬送されてきた転写紙Ｓにトナー画像を転写し、定着装置１１は該トナー画像を加熱・溶融して転写紙Ｓに定着させる。その後転写紙Ｓは、両面コピーの場合には、搬送経路切替板１２によって反転経路１３へ表裏反転されて、再度画像形成部３へ搬送される。片面コピーの場合や両面にコピーした場合には、搬送経路切替板１２が図１の仮想線の方向へ動くことによって転写紙Ｓは排出ローラ１４に送られ、外部へ排出される。一方、転写後に感光体ドラム５に残ったトナーは、クリーニング装置１０によって回収される。
【００１８】
原稿読取装置２ａによって原稿Ｇを読み取る方法としては、原稿Ｇを原稿読取装置２ａの上部にあるプラテンガラス２ｂへ１枚ずつ載置する方法と、自動原稿送り装置２を使用して、原稿Ｇを自動的にスリットガラス２ｃへ搬送する方法とがある。
【００１９】
図２は、自動原稿送り装置の要部拡大図である。自動原稿送り装置２を使用した原稿Ｇの読み取りは次のような手順となる。原稿台２１に載置された原稿Ｇは、給紙ローラ２２によって送り出しローラ２３と重送防止ローラ２４へ送られる。送り出しローラ２３の下にある重送防止ローラ２４によって、複数枚の原稿Ｇを１度に搬送してしまう重送を防止する。原稿Ｇは送り出しローラ２３によって矢印Ｙ１で示す方向へ送り出されレジストローラ２５によって向きを整えられる。
【００２０】
その後、原稿Ｇは搬送ローラ２６ａを通り、読取ガイド２７に沿ってスリットガラス２ｃの上を通過する。原稿Ｇが読取ガイド２７から搬送ローラ２６ｂに搬送されていく間に、原稿読取装置２ａは原稿Ｇを画像データとして読み取る。読み取りが完了した原稿Ｇは、排紙ローラ２８へ搬送され、矢印Ｙ２で示すように、自動原稿送り装置２の外部へ排出される。
【００２１】
図２の自動原稿送り装置２の場合、スリットガラス２ｃとの隙間を一定に保つ凸部２７ａは、読取ガイド２７に取りつけられている。そして、この凸部２７ａと当接し、スリットガラス２ｃの破損を防ぐための弾性体２９がスリットガラス２ｃに貼り付けられている。
【００２２】
図３は、凸部２７ａと弾性体が突き当たった状態を示す図である。凸部２７ａは樹脂を円弧状に形成したものであり、原稿Ｇの搬送の妨げにならないよう、読取ガイド２７の両端付近に１つずつ取りつけられている。
【００２３】
弾性体２９はポリエチレンテレフタレート等で形成された薄板で、大きさは凸部２７ａよりも大きく、厚さは凸部２７ａよりも薄く形成されている。弾性体２９には弾力性があるため、あまり厚く形成しすぎるとその弾性力により、自動原稿送り装置２を使用した原稿読み取り時に、読取ガイド２７とスリットガラス２ｃとの隙間が一定に保てなくなり、原稿読み取りに支障をきたす可能性がある。そのため、弾性体２９の厚さは弾力性による隙間の変化が原稿読み取りに支障がなく、かつスリットガラス２ｃの破損を防ぐことができる程度の弾力性を有する厚さにする。これは、自動原稿送り装置２の重量やスリットガラス２ｃに加わる衝撃の大きさ等から適切な厚さにすることができる。
【００２４】
図４は、弾性体の取り付け位置を示す図である。原稿読取装置２ａの上面には原稿Ｇを一枚ずつ載置するプラテンガラス２ｂと、自動原稿送り装置２によって原稿Ｇが搬送されるスリットガラス２ｃとが隣り合って取り付けられている。弾性体２９は、スリットガラス２ｃの両端に貼り付けられている。
【００２５】
このように弾性体２９を貼り付けることで、自動原稿送り装置２を閉じるときに凸部２７ａがスリットガラス２ｃに当接するときの衝撃を弾性体２９が吸収するためスリットガラス２ｃの破損を防ぐことができる。また、衝撃が大きすぎて弾性体２９が吸収しきれずスリットガラス２ｃが破損した場合でも、破片の飛散を防止することができるので安全性が向上する。
【００２６】
なお、図３及び図４では、スリットガラス２ｃに弾性体２９を取り付けたものであるが、本発明はこれ以外に、凸部２７ａに弾性体２９を貼り付けるような実施例も可能である。また、本実施例では読取ガイド２７を有する自動原稿送り装置２を用いて説明をしたが、読取ガイド２７の代わりに読取ローラを有する自動原稿送り装置等にも本発明は実施が可能である。
【００２７】
【発明の効果】
本発明の画像形成装置によれば、原稿を搬送するための開閉可能な自動原稿送り装置と、該自動原稿送り装置が搬送する原稿を読み取るためのスリットガラスを有する原稿読取装置と、を有する画像形成装置において、前記スリットガラスに弾性体を取り付けた構成とすることで、スリットガラスの破損および破損によるガラス片の飛散を防止でき、安全性が向上する。
【００２８】
前記自動原稿送り装置は、前記スリットガラスに当接する凸部を有し、前記弾性体はスリットガラス上の、前記凸部が当接する位置に取り付けられている構成とすることで、スリットガラスの破損をより効率的に防ぐことができる。
【００２９】
本発明の画像形成装置によれば、原稿を搬送するための開閉可能な自動原稿送り装置と、該自動原稿送り装置が搬送する原稿を読み取るためのスリットガラスを有する原稿読取装置と、を有する画像形成装置において、前記自動原稿送り装置のうち、前記スリットガラスと接触する部分に弾性体を取り付けた構成とすることで、スリットガラスの破損を防止することができる。
【００３０】
前記自動原稿送り装置は、前記スリットガラスに当接する凸部を有し、前記弾性体は前記凸部に取り付けられている構成とすることで、スリットガラスが破損しないようにすることができる。
【図面の簡単な説明】
【図１】本発明の画像形成装置の構成図である。
【図２】自動原稿送り装置の要部拡大図である。
【図３】凸部と弾性体が突き当たった状態を示す図である。
【図４】弾性体の取り付け位置を示す図である。
【符号の説明】
１        画像形成装置
２        自動原稿送り装置
２ａ      原稿読取装置
２ｃ      スリットガラス
２７ａ    凸部
２９      弾性体
Ｇ        原稿
【図１】
2005035713.tif 000003
【図２】
2005035713.tif 000004
【図３】
2005035713.tif 000005
【図４】
2005035713.tif 000006